(57)【要約】【課題】  座部を必要なときに簡単に回転不能とすることが可能であり、また外観性を損なったり、邪魔になることもなく、コスト低減化を図り、しかも小学生低学年では着座したままでは容易に操作できない回転椅子の回転規制装置を提供する。【解決手段】  脚部３の軸部に伸縮可能且つ回転可能なガスシリンダー４を備え、ガスシリンダーの上端部に座部２を回転不能に装着し、回転規制手段５にてガスシリンダーを回転不能とすることが可能で、ガスシリンダーは、外形が非円形のシリンダー本体８の下方にロッドが伸縮可能に伸びた構造を有し、軸部の上部に内嵌したスリーブにシリンダー本体を回転可能且つ上下スライド可能に支持し、ロッドの下端部を軸部の底板に定位置回転可能に支持し、軸部の上部で回転規制手段によって軸部に対してガスシリンダーを回転不能且つ上下スライド可能に係着してなる。【選択図】        図１
2008183443.tif 000002
【特許請求の範囲】
【請求項１】
脚部の軸部に伸縮可能且つ回転可能なガスシリンダーを備え、該ガスシリンダーの上端部に座部の下面に設けた支持体を回転不能に装着するとともに、回転規制手段にて前記ガスシリンダーを回転不能とすることが可能な回転椅子の回転規制装置であって、前記ガスシリンダーは、外形が非円形のシリンダー本体の下方にロッドが伸縮可能に伸びた構造を有し、前記シリンダー本体の下部とロッドを前記軸部に内蔵し、該軸部の上部に内嵌したスリーブに前記シリンダー本体を回転可能且つ上下スライド可能に支持するとともに、前記ロッドの下端部を前記軸部の底板に定位置回転可能に支持し、前記軸部の上部で前記回転規制手段によって該軸部に対してガスシリンダーを回転不能且つ上下スライド可能に係着してなることを特徴とする回転椅子の回転規制装置。
【請求項２】
前記ガスシリンダーのシリンダー本体の外形が略六角形である請求項１記載の回転椅子の回転規制装置。
【請求項３】
前記回転規制手段として、前記軸部の上部に外方から螺合した規制ネジを、前記スリーブを貫通させて、その先端を前記シリンダーの側面の平面部に対面させ、該シリンダーの回転を規制するようにした請求項１又は２記載の回転椅子の回転規制装置。
【請求項４】
前記回転規制手段として、前記シリンダーに回転不能且つ上下スライド可能に嵌合した操作カバーの円筒部を、前記軸部の上部に外嵌可能とし、該円筒部の通孔を貫通させた固定ネジを前記軸部の螺孔に螺合することにより、シリンダーを回転規制するようにした請求項１又は２記載の回転椅子の回転規制装置。
【請求項５】
前記回転規制手段として、前記シリンダーに回転不能且つ上下スライド可能に嵌合した操作カバーの円筒部を、前記軸部の上部外面との間で回転不能に凹凸嵌合することにより、シリンダーを回転規制するようにした請求項１又は２記載の回転椅子の回転規制装置。
【請求項６】
前記回転規制手段として、前記シリンダーに回転不能且つ上下スライド可能に嵌合した係合部材の下面に凹凸部を形成し、前記軸部の上部に設けたスリーブの上端面に前記凹凸部に嵌合する凹凸部を形成したものである請求項１又は２記載の回転椅子の回転規制装置。
【請求項７】
前記回転規制手段として、前記軸部の上部に前記スリーブを貫通するスリットを対向する位置に形成し、該スリットにシリンダーの平面部を対応させた状態で、両スリットに平面視略Ｕ字形の止め具を嵌合し、シリンダーの回転を規制するようにした請求項１又は２記載の回転椅子の回転規制装置。
【発明の詳細な説明】
【技術分野】
【０００１】
本発明は、回転椅子の回転規制装置に係わり、更に詳しくは回転椅子の座部を必要なときに回転不能とする回転椅子の回転規制装置に関するものである。
【背景技術】
【０００２】
従来の回転椅子の回転規制装置として、特許文献１に記載されたものは、脚部の軸部に伸縮可能且つ回転不能なガスシリンダーを備え、該ガスシリンダーの上端部に座部の下面に設けた支持体を回転可能に装着するとともに、回転規制手段にて前記座部を回転不能とし、前記ガスシリンダーの上端部に取付けた軸筒を、前記支持体に固定した軸受部材にて回転可能に受け、前記回転規制手段として、前記軸受部材より上方に突出した前記軸筒の上端部に回転軸芯と直交する規制縁を少なくとも一つ有する規制板を固定するとともに、該規制板の規制縁に係脱可能に当接して前記座部を回転不能とする係止部材を前記支持体に設けた構造である。更に詳しくは、前記規制板は互いに平行な少なくとも一対の規制縁を外周の対向位置に設けたものであり、前記係止部材は前記一対の規制縁に同時に当接する一対の当接縁を開口部内周に設けるとともに、一端部を水平な支軸にて前記支持体に上下回動可能に取付けたものであり、前記係止部材を前記支持体に設けた操作手段で上下回動操作し、前記当接縁が規制縁に当接した回転規制状態と前記当接縁が規制縁から離れた回転可能状態とを実現してなるものである。
【０００３】
上記特許文献１に記載の回転規制装置は、操作手段が座部の下面近くに存在するので、座部に座ったままでも回転規制状態と回転可能状態とを選択的に簡単に操作できるといった利点を具えているものの、伸縮可能且つ回転不能な特殊なガスシリンダーを用い、また座部下面の支持体の内部に機構部を組込んでいたので、構造が複雑になるばかりでなく組立てにも手間がかかり、コスト高になる上に、支持体の寸法も大きくなって外観性を損なうといった課題を有している。また、通常この種の椅子は、主に足が床につかない小学生低学年が使用する用途として提供され、勉強中に座部が回転して体が不安定になることを防止するために回転規制するが、操作手段が座部の下面近くに存在するので、遊び半分で操作手段を操作して簡単に回転規制を解除してしまうといった問題もある。
【特許文献１】特開２００３−５２４７８号公報
【発明の開示】
【発明が解決しようとする課題】
【０００４】
そこで、本発明が前述の状況に鑑み、解決しようとするところは、脚部の軸部に伸縮可能且つ回転可能なガスシリンダーを備え、該ガスシリンダーの上端部に座部の下面に設けた支持体を装着してなる回転椅子の回転規制装置において、座部を必要なときに簡単に回転不能とすることが可能であり、また外観性を損なったり、邪魔になることもなく、コスト低減化を図り、しかも小学生低学年では着座したままでは容易に操作することができない回転椅子の回転規制装置を提供する点にある。
【課題を解決するための手段】
【０００５】
本発明は、前述の課題解決のために、脚部の軸部に伸縮可能且つ回転可能なガスシリンダーを備え、該ガスシリンダーの上端部に座部の下面に設けた支持体を回転不能に装着するとともに、回転規制手段にて前記ガスシリンダーを回転不能とすることが可能な回転椅子の回転規制装置であって、前記ガスシリンダーは、外形が非円形のシリンダー本体の下方にロッドが伸縮可能に伸びた構造を有し、前記シリンダー本体の下部とロッドを前記軸部に内蔵し、該軸部の上部に内嵌したスリーブに前記シリンダー本体を回転可能且つ上下スライド可能に支持するとともに、前記ロッドの下端部を前記軸部の底板に定位置回転可能に支持し、前記軸部の上部で前記回転規制手段によって該軸部に対してガスシリンダーを回転不能且つ上下スライド可能に係着してなる回転椅子の回転規制装置を構成した（請求項１）。
【０００６】
ここで、前記ガスシリンダーのシリンダー本体の外形が略六角形であることが好ましい（請求項２）。
【０００７】
具体的には、前記回転規制手段として、前記軸部の上部に外方から螺合した規制ネジを、前記スリーブを貫通させて、その先端を前記シリンダーの側面の平面部に対面させ、該シリンダーの回転を規制するようにした（請求項３）。
【０００８】
あるいは、前記回転規制手段として、前記シリンダーに回転不能且つ上下スライド可能に嵌合した操作カバーの円筒部を、前記軸部の上部に外嵌可能とし、該円筒部の通孔を貫通させた固定ネジを前記軸部の螺孔に螺合することにより、シリンダーを回転規制するようにした（請求項４）。
【０００９】
あるいは、前記回転規制手段として、前記シリンダーに回転不能且つ上下スライド可能に嵌合した操作カバーの円筒部を、前記軸部の上部外面との間で回転不能に凹凸嵌合することにより、シリンダーを回転規制するようにした（請求項５）。
【００１０】
あるいは、前記回転規制手段として、前記シリンダーに回転不能且つ上下スライド可能に嵌合した係合部材の下面に凹凸部を形成し、前記軸部の上部に設けたスリーブの上端面に前記凹凸部に嵌合する凹凸部を形成したものである（請求項６）。
【００１１】
あるいは、前記回転規制手段として、前記軸部の上部に前記スリーブを貫通するスリットを対向する位置に形成し、該スリットにシリンダーの平面部を対応させた状態で、両スリットに平面視略Ｕ字形の止め具を嵌合し、シリンダーの回転を規制するようにした（請求項７）。
【発明の効果】
【００１２】
以上にしてなる請求項１に係る発明の回転椅子の回転規制装置は、ガスシリンダーは、外形が非円形のシリンダー本体の下方にロッドが伸縮可能に伸びた構造を有し、前記シリンダー本体の下部とロッドを前記軸部に内蔵し、該軸部の上部に内嵌したスリーブに前記シリンダー本体を回転可能且つ上下スライド可能に支持するとともに、前記ロッドの下端部を前記軸部の底板に定位置回転可能に支持したので、座部をスムーズに回転し、また昇降することが可能であり、脚部の軸部の上部に設けた回転規制手段を操作して、軸部に対してガスシリンダーを回転規制することで、座部を必要なときに簡単に回転不能とすることができ、しかも回転規制手段は軸部の上部位置にあるので、邪魔になることもなく、小学生低学年では着座したままでは容易に操作することができないようにすることができる。
【００１３】
請求項２によれば、ガスシリンダーのシリンダー本体の外形が略六角形であると、外形が円柱形に近い形状であるので、スリーブにてシリンダー本体をスムーズに回転可能に保持することができるとともに、シリンダー本体が露出しても外観性を損なうことがないのである。
【００１４】
請求項３〜７によれば、回転規制手段の構造が簡単であり、回転規制手段を操作することにより、ガスシリンダーのシリンダー本体の回転を確実に規制することができ、また回転規制状態から回転可能状態への変更、あるいはその逆の変更も容易である。
【発明を実施するための最良の形態】
【００１５】
次に本発明の実施の形態を添付図面に基づき更に詳細に説明する。図１及び図２は本発明に係る回転規制装置を備えた回転椅子を示し、図中符号１は脚部、２は座部、３は軸部、４はガスシリンダー、５は回転規制手段をそれぞれ示している。
【００１６】
本実施形態における回転椅子は、脚部１の軸部３に伸縮可能且つ回転可能なガスシリンダー４を備え、該ガスシリンダー４の上端部に座部２の下面に設けた支持体（図示せず）を回転不能に装着するとともに、軸部３の上部に設けた回転規制手段５にて前記ガスシリンダー４を回転不能としてなるものである。
【００１７】
更に詳しくは、図１及び図２に示すように、前記脚部１は、放射状に延びた複数の支脚６，…の中心部に前記軸部３を立設したものであり、該軸部３には外形を非円形としたガスシリンダー４を伸縮可能且つ回転可能に内蔵しており、該ガスシリンダー４の上端部に前記座部２の下面に取付けた支持体を回転不能に装着している。尚、図中符号７は前記支持体を覆ったカバーである。また、本発明に係る回転椅子は、主に小学生が使用し、低学年から高学年までの児童が使用できることを商品コンセプトとしている。そのため、前記軸部３には、体格が小さな小学生低学年の児童の足を載せるステップ１Ａを高さ調節可能且つ着脱可能に取付けている。
【００１８】
前記ガスシリンダー４は、外形が略六角形（図３（ａ）参照）のシリンダー本体８の下方にロッド９が伸縮可能に伸びた構造を有し、前記シリンダー本体８の下部とロッド９を金属製円筒からなる前記軸部３に内蔵し、該軸部３の上部に内嵌した合成樹脂製のスリーブ１０に前記シリンダー本体８を回転可能且つ上下スライド可能に支持するとともに、前記ロッド９の下端部を前記軸部３の底板１１にベアリング１２を介して定位置回転可能に支持している。そして、前記シリンダー本体８に対するロッド９の突出長さを調節することによって当該シリンダー本体８の上下位置を調節し、もって前記座部２の高さを調節するのである。本発明で使用する前記ガスシリンダー４は、シリンダー本体８の外形が非円形、代表的には略六角形である以外は従来公知の安価なガスシリンダーと同じ構造のものである。
【００１９】
また、本発明のガスシリンダー４のシリンダー本体８の外形の変形例を図３に示す。先ず、図３（ａ）は、前述の実施形態で説明した外形が略六角形のものである。図３（ｂ）は外形が円形のシリンダー本体８の一部に長手方向に溝３９が形成されたものであり、該溝３９を利用してシリンダー本体８の回転を規制するようにできる。また、図３（ｃ）は、シリンダー本体８の断面形状が楕円形のものである。そして、図３（ｄ）は、外形が円形のシリンダー本体８の側面の一部を平面状のカットしたカット面４０，４０を有するものである。
【００２０】
本発明の実施形態を図４〜図８に基づいて説明する。図４（ａ）、（ｂ）は、第１実施形態を示し、外形が略六角形のシリンダー４を用い、前記回転規制手段として、前記軸部３の上部に外方から螺合した規制ネジ４１を、前記スリーブ１０を貫通させて、その先端を前記シリンダー４の側面の平面部４２に対面させ、該シリンダー４の回転を規制するようにしたものである。この場合、前記規制ネジ４１は前記平面部４２に圧接しないようにすることで、前記座部２の高さを調節することができる。
【００２１】
図５に示したものは、第２実施形態を示し、前記回転規制手段として、前記シリンダー４に回転不能且つ上下スライド可能に嵌合した操作カバー４２の円筒部４３を、前記軸部３の上部に外嵌可能とし、該円筒部４３の通孔４４を貫通させた固定ネジ４５を前記軸部３の螺孔４６に螺合することにより、シリンダー４を回転規制するようにしたものである。
【００２２】
図６に示したものは、第３実施形態を示し、前記回転規制手段として、図５と同様な操作カバー４７の円筒部４８を、前記軸部３の上部外面との間で回転不能に凹凸嵌合する構造であり、図示したものは、前記軸部３の上部外面に平面部４９，４９を形成し、前記操作カバー４７の円筒部４８の内面に該平面部４９，４９に嵌合する突部５０，５０を形成している。
【００２３】
図７に示したものは、第４実施形態を示し、前記回転規制手段として、前記シリンダー４に回転不能且つ上下スライド可能に嵌合した係合部材５１の下面に凹凸部５２を形成し、前記軸部３の上部に設けたスリーブ１０の上端面に前記凹凸部５２に嵌合する凹凸部５３を形成したものである。
【００２４】
そして、図８に示したものは、第５実施形態を示し、前記回転規制手段として、前記軸部３の上部に前記スリーブ１０を貫通するスリット５４，５４を対向する位置に形成し、該スリット５４にシリンダー４の平面部を対応させた状態で、両スリット５４，５４に平面視略Ｕ字形の止め具５５を嵌合し、シリンダー４の回転を規制するようにしたものである。
【００２５】
図４〜図８の実施形態では、図３（ａ）の六角形の外形を有するシリンダー４を用いたものであるが、図３（ｂ）〜（ｄ）に示したシリンダー４との組合わせで、更に多様な実施形態が存在するのである。
【図面の簡単な説明】
【００２６】
【図１】本発明の回転規制装置を適用した回転椅子の側面図である。
【図２】軸部とシリンダーとの関係を示す断面図である。
【図３】シリンダーの外形の変形例を示し、（ａ）は六角形のシリンダー、（ｂ）は溝を有するシリンダー、（ｃ）は楕円形のシリンダー、（ｄ）は平面部を有するシリンダーをそれぞれ軸部に回転可能に装着した状態の平面図である。
【図４】本発明の第１実施形態を示し、（ａ）は要部の斜視図、（ｂ）は断面図である。
【図５】本発明の第２実施形態を示す要部の分解斜視図である。
【図６】本発明の第３実施形態を示す要部の分解斜視図である。
【図７】本発明の第４実施形態を示す要部の斜視図である。
【図８】本発明の第５実施形態を示し、（ａ）は要部の分解斜視図、（ｂ）は断面図である。
【符号の説明】
【００２７】
１  脚部              ２  座部
３  軸部              ４  ガスシリンダー
５  回転規制手段      ６  支脚
７  カバー            ８  シリンダー本体
９  ロッド            １０  スリーブ
１１  底板            １２  ベアリング
３９  溝              ４０  カット面
４１  規制ネジ        ４２  平面部
４２  操作カバー      ４３  円筒部
４４  通孔            ４５  固定ネジ
４６  螺孔            ４７  操作カバー
４８  円筒部          ４９  平面部
５０  突部            ５１  係合部材
５２  凹凸部          ５３  凹凸部
５４  スリット        ５５  止め具
【図１】
2008183443.tif 000003
【図２】
2008183443.tif 000004
【図３】
2008183443.tif 000005
【図４】
2008183443.tif 000006
【図５】
2008183443.tif 000007
【図６】
2008183443.tif 000008
【図７】
2008183443.tif 000009
【図８】
2008183443.tif 000010